(57)【要約】【課題】カビ胞子を殺す効果と洗浄効果を有するカビ防除洗浄剤組成物を提供する。【解決手段】（ａ）カチオン界面活性剤、（ｂ）両性界面活性剤、（ｃ）金属封鎖剤、（ｄ）ポリエチレンイミン、並びに水を含有することを特徴とする液状洗浄剤組成物。【選択図】なし【特許請求の範囲】
【請求項１】
（ａ）カチオン界面活性剤、（ｂ）両性界面活性剤、（ｃ）金属封鎖剤、（ｄ）ポリエチレンイミン、並びに水を含有することを特徴とする液状洗浄剤組成物。
【請求項２】
（ａ）が下記式（I）又は（II）で表されるカチオン界面活性剤であることを特徴とする請求項１に記載の液状カビ防除洗浄剤組成物。
【化１】
2013194224.tif 000006
［式中、Ｒ１、Ｒ２は、同一又は異なって、C6〜C18のアルキル基、アラルキル基、C5〜C8のシクロアルキル基、シクロアルキルアルキル基を示し、Ｒ３、Ｒ４は、同一又は異なって、C1〜C3のアルキル基を示す。Ｘ−は、アニオンを示す。］
【化２】
2013194224.tif 000007
［式中、Ｒ5及びＲ6は炭素数１〜４の直鎖または分岐の同一又は異なるアルキレン基であり、Ｒ7およびＲ8は、水素原子、同一又は異なるハロゲン原子、低級アルキル基または低級アルキレン基であり、Ｒ9は、同一又は異なる炭素数１〜１８の直鎖又は分岐鎖のアルキル基であり、ｍは２〜１２の整数を示す。Ｘ−は、アニオンを示す。］
【請求項３】
（ｂ）が下記式（III）又は（IV）で表される両性界面活性剤であることを特徴とする請求項１又は２に記載の液状カビ防除洗浄剤組成物
【化３】
2013194224.tif 000008
[式中、Ｒ10は炭素数８〜２２の直鎖または分岐鎖のアルキル又はアルケニル基を示し、Ｒ11及びＲ12は同一又は異なって、炭素数１〜５のアルキル基を示す。Ｒ13は炭素数７〜２１の直鎖または分岐鎖のアルキル又はアルケニル基を示し、ｎ、o及びpは各々同一又は異なって１〜３の整数を示す。]
【発明の詳細な説明】
【技術分野】
【０００１】
本発明は、浴室、トイレ等の硬質表面用の液状洗浄剤組成物に関し、石鹸カス汚れ、尿石等の無機・有機複合汚れ、カビやバクテリアによる微生物汚れの除去に関する。
【背景技術】
【０００２】
浴室・浴槽用洗浄剤およびトイレ用洗浄剤には共通の界面活性剤が用いられることが多い。例えば、トイレ用洗浄剤としては両性界面活性剤およびカチオン界面活性剤等の界面活性剤を用いる方法（特許文献１〜４）が提案されている。一方、浴室・浴槽用洗浄剤としても、カチオン界面活性剤を用いる方法（特許文献５〜６）および両性界面活性剤を用いる方法（特許文献７〜９）が報告されている。
【０００３】
しかし、浴室・浴槽とトイレでは汚れの質が異なっている。浴室・浴槽用では石鹸カスの汚れが付着し易い。また、浴室内は温度や湿度が微生物の増殖に好適な環境であるので、壁、天井、タイルの目地にカビが増殖する。また、排水溝付近にはバクテリアが増殖し易く、バクテリアが排水管内に増殖してバイオフィルムを形成すると、恒常的に悪臭が発生するようになる。このように、浴室・浴槽用洗浄剤の目的は、石鹸カスの除去と微生物の防除である。
【０００４】
一方、尿にはカルシウム、リン酸等の無機物、尿素、尿酸等の有機物が含まれており、これらを分解・資化してバクテリアが増殖し易い環境にある。その結果、リン酸カルシウム等の無機物とタンパクが複合して尿石が生成する。また、バクテリアが増殖してバイオフィルムを形成し、有機物を分解してアンモニア等の悪臭を発生する。このように、トイレ用洗浄剤の目的は主に無機有機複合汚れ（尿石）およびバイオフィルムの除去と消臭である。
【０００５】
このように除去対象の汚れが異なるため、同一の洗浄剤で浴室・浴槽とトイレを洗浄することは困難であった。しかし、ホテル等の施設では、作業効率の観点から、浴室・浴槽、トイレ、洗面台等を洗うことが出来る洗浄剤が望まれている。
【先行技術文献】
【特許文献】
【０００６】
【特許文献１】特開２００５−９７５１１
【特許文献２】特開２００３−１８３６９７
【特許文献３】特表２００１−５２２３９７
【特許文献４】特開２００８−２６６３７５
【特許文献５】特許第２８３７４０６号
【特許文献６】特許第２６１７４４２号
【特許文献７】特許第３２０８２２３号
【特許文献８】特許第２５４０４３５号
【特許文献９】特公平８−２６３４８
【発明の概要】
【発明が解決しようとする課題】
【０００７】
本発明は、石鹸カス汚れ除去、カビ防除、尿石のような無機有機複合汚れ、バイオフィルム除去が可能な、浴槽・浴室およびトイレ用の液状洗浄剤組成物を提供することである。
【課題を解決するための手段】
【０００８】
本発明者は、上記課題を解決すべく鋭意研究を重ねたところ、特定の四級アンモニウム塩、両性界面活性剤、金属封鎖剤およびポリエチレンイミンを組み合わせることにより、石鹸カス、カビやバクテリアによる汚れの除去、無機有機複合汚れ（尿石）の除去性に優れる組成が得られることを見出した。本発明は、このような知見に基づき完成されたものであり、以下の様態の液状洗浄剤組成物を提供する。
項１．  （ａ）カチオン界面活性剤、（ｂ）両性界面活性剤、（ｃ）金属封鎖剤、（ｄ）ポリエチレンイミン、並びに水を含有することを特徴とする液状洗浄剤組成物
項２．  （ａ）が下記式（I）又は（II）で表されるカチオン界面活性剤であることを特徴とする項１に記載の液状カビ防除洗浄剤組成物。
【０００９】
【化１】
2013194224.tif 000002
【００１０】
［式中、Ｒ１、Ｒ２は、同一又は異なって、C6〜C18のアルキル基、アラルキル基、C5〜C8のシクロアルキル基、シクロアルキルアルキル基を示し、Ｒ３、Ｒ４は、同一又は異なって、C1〜C3のアルキル基を示す。Ｘ−は、アニオンを示す。］
【００１１】
【化２】
2013194224.tif 000003
【００１２】
［式中、Ｒ5及びＲ6は炭素数１〜４の直鎖または分岐の同一又は異なるアルキレン基であり、Ｒ7およびＲ8は、水素原子、同一又は異なるハロゲン原子、低級アルキル基または低級アルキレン基であり、Ｒ9は、同一又は異なる炭素数１〜１８の直鎖又は分岐鎖のアルキル基であり、ｍは２〜１２の整数を示す。Ｘ−は、アニオンを示す。］
項３．  （ｂ）が下記式（III）又は（IV）で表される両性界面活性剤であることを特徴とする項１又は２に記載の液状カビ防除洗浄剤組成物
【００１３】
【化３】
2013194224.tif 000004
【００１４】
[式中、Ｒ10は炭素数８〜２２の直鎖または分岐鎖のアルキル又はアルケニル基を示し、Ｒ11及びＲ12は同一又は異なって、炭素数１〜５のアルキル基を示す。Ｒ13は炭素数７〜２１の直鎖または分岐鎖のアルキル又はアルケニル基を示し、ｎ、o及びpは各々同一又は異なって１〜３の整数を示す。]
【発明の効果】
【００１５】
本発明においては、本発明の液状洗浄剤組成物を対象物に接触させることによって尿石やバイオフィルムは溶解し、スポンジ等で擦ることにより石鹸カス汚れが除去されると共に、カビ胞子は非可逆的な傷害を受け、発芽できなくなる。本発明の好ましい実施形態においては、本発明の液状洗浄剤組成物をそのまま、或いは水で希釈して対象物に噴霧し、または、液状洗浄剤組成物を染み込ませた紙や布で対象物を拭いて使用する。
【発明を実施するための形態】
【００１６】
本発明において用いられる四級アンモニウム塩は特に限定されないが、式（I）で表される分子内に疎水基を二つ有する化合物又は式（II）で表されるビスタイプの化合物が好ましく、式（I）で表される化合物としては、例えば、ラウリルジメチルベンジルアンモニウムクロライド、塩化ベンザルコニウム、ジデシルジメチルアンモニウムクロライド等が、式（II）で表される化合物としてはハイジェニアが挙げられる。
【００１７】
本発明における液状洗浄剤組成物の四級アンモニウム塩の配合量は、０．０００１〜１５重量％、好ましくは、０．００１〜５重量％、更に好ましくは０．０１〜１重量％である。配合量が０．０００１重量％未満では十分な殺カビ効果を得ることが出来ず、一方、１５重量％を超える濃度では効果が飽和して経済的でない。
【００１８】
本発明において用いられる両性界面活性剤は特に限定されないが、例えば式（II）で表されるアミノベタイン型(例えば、ラウリルジメチルアミノ酢酸ベタイン、ステアリルジメチルアミノ酢酸ベタイン等)、式（III）で表される脂肪酸アミドベタイン型（例えば、ラウリン酸アミドプロピルベタイン、ヤシ油脂肪酸アミドプロピルベタイン、オクチル酸アミドプロピルベタイン等）が挙げられる。
【００１９】
本発明における液状洗浄剤組成物の両性界面活性剤の配合量は、０．０１〜３０重量％、好ましくは０．０５〜２０重量％、更に好ましくは０．１〜１０重量％である。０．０１重量％以下の濃度では洗浄効果が低く、３０重量％以上の濃度では効果が飽和する。
【００２０】
C6〜C18のアルキル基としては、ヘキシル、ヘプチル、オクチル、２−エチルヘキシル、ノニル、デシル、ウンデシル、ドデシル、トリデシル、テトラデシル、ヘキサデシル、オクタデシルなどの直鎖または分岐を有するC6〜C18のアルキル基が挙げられる。
【００２１】
アラルキル基としては、ベンジル、フェネチル、ナフチルメチルなどが挙げられる。
【００２２】
C5〜C8のシクロアルキル基としては、シクロペンチル、シクロヘキシル、シクロヘプチル、シクロオクチルが挙げられる。
【００２３】
シクロアルキルアルキル基としては、シクロペンチルメチル、シクロヘキシルメチル、シクロヘプチルメチル、シクロオクチルメチルなどのC5〜C8のシクロアルキル基で置換されたC1〜C3アルキルが挙げられる。
【００２４】
炭素数１〜４の直鎖または分岐鎖の同一又は異なるアルキレン基としては、-CH2-、-CH2CH2-、-CH2CH(CH3)-、-CH2CH2CH2-、-CH2CH2CH2CH2-が挙げられる。
【００２５】
ハロゲン原子としては、フッ素原子、塩素原子、臭素原子、ヨウ素原子が挙げられる。
【００２６】
低級アルキル基としては、メチル、エチル、n-プロピル、イソプロピル、n-ブチル、イソブチル、sec-ブチル、tert-ブチル、ペンチル、ヘキシルなどのC1〜C6、好ましくはC1〜C4の直鎖または分岐鎖のアルキル基が挙げられる。
【００２７】
低級アルキレン基としては、-CH2-、-CH2CH2-、-CH2CH(CH3)-、-CH2CH2CH2-、-CH2CH2CH2CH2-、-CH2CH2CH2CH2CH2-、-CH2CH2CH2CH2CH2CH2-などの炭素数１〜６の直鎖または分岐鎖のアルキレン基が挙げられる。
【００２８】
炭素数１〜１８の直鎖又は分岐鎖のアルキル基としては、メチル、エチル、n-プロピル、イソプロピル、n-ブチル、イソブチル、sec-ブチル、tert-ブチル、ペンチル、ヘキシル、ヘプチル、オクチル、２−エチルヘキシル、ノニル、デシル、ウンデシル、ドデシル、トリデシル、テトラデシル、ヘキサデシル、オクタデシルなどが挙げられる。
【００２９】
Ｘ−で表されるアニオンとしては、フッ素イオン、塩素イオン、臭素イオン、硝酸イオン、1/2硫酸イオン、1/3リン酸イオン、メタンスルホン酸イオン、トルエンスルホン酸イオンなどが挙げられる。
【００３０】
炭素数８〜２２の直鎖または分岐鎖のアルキルとしては、オクチル、２−エチルヘキシル、ノニル、デシル、ウンデシル、ドデシル、トリデシル、テトラデシル、ヘキサデシル、オクタデシル、エイコシル、ドコシルなどが挙げられる。
【００３１】
炭素数８〜２２の直鎖または分岐鎖のアルケニル基としては、オクテニル、２−エチルヘキセニル、ノネニル、デセニル、ウンデセニル、ドデセニル、トリデセニル、テトラデセニル、ヘキサデセニル、オクタデセニル、エイコセニル、ドコセニルなどが挙げられる。
【００３２】
炭素数７〜２１の直鎖または分岐鎖のアルキルとしては、ヘプチル、オクチル、２−エチルヘキシル、ノニル、デシル、ウンデシル、ドデシル、トリデシル、テトラデシル、ヘキサデシル、オクタデシル、エイコシルなどが挙げられる。
【００３３】
炭素数７〜２１の直鎖または分岐鎖のアルケニル基としては、ヘプテニル、オクテニル、２−エチルヘキセニル、ノネニル、デセニル、ウンデセニル、ドデセニル、トリデセニル、テトラデセニル、ヘキサデセニル、オクタデセニル、エイコセニルなどが挙げられる。
【００３４】
ｎ、o及びpは各々同一又は異なって１〜３の整数、好ましくは１又は２である。
【００３５】
炭素数１〜５のアルキル基としては、メチル、エチル、n-プロピル、イソプロピル、n-ブチル、イソブチル、sec-ブチル、tert-ブチル、ペンチルなどの直鎖または分岐鎖のアルキル基が挙げられる。
【００３６】
金属イオン封鎖剤としては、通常使用されるものであればいずれのものも使用でき、特に限定されないが、例えば、リン酸系化合物（例えば、オルトリン酸、ピロリン酸、トリポリリン酸、メタリン酸、ヘキサメタリン酸等）、ホスホン酸類（例えば、エタン−１，１−ジホスホン酸、エタン−１，１、２−トリホスホン酸、エタン−１―ヒドロキシ−１，２−ジホスホン酸、エタン−１―ヒドロキシ−１，１、２−トリホスホン酸、エタン−１，２―ジカルボキシ−１，２−ジホスホン酸、メタンヒドロキシホスホン酸等）、ホスホノカルボン酸類（例えば、２−ホスホノブタン−１，２−ジカルボン酸、１−ホスホノブタン−２，３，４−トリカルボン酸、αメチルホスホノコハク酸等）、アミノポリ酢酸類（例えば、ニトリロトリ酢酸、イミノ二酢酸、エチレンジアミン四酢酸、ヒドロキシエチレンジアミン酢酸、ジエチレントリアミン五酢酸、グリコールエーテルジアミン四酢酸、ヒドロキシエチルイミノ二酢酸、トリエチレンテトラミン六酢酸等）、有機酸（例えば、ジグリコール酸、オキシジコハク酸、カルボキシメチルオキシコハク酸、クエン酸、乳酸、酒石酸、シュウ酸、リンゴ酸、グルコン酸、アジピン酸、スベリン酸等）、アミノ酸（例えば、アスパラギン酸、グルタミン酸、グリシン等）、これらのアルカリ金属塩、アンモニア塩又はアルカノールアミン塩が挙げられる。中でも、エチレンジアミン四酢酸、クエン酸およびこれらの塩が好ましい。本発明における金属封鎖剤の濃度は、０．００１〜３０重量％、０．０５〜２０重量％、更に好ましくは０．１〜５重量％である。０．００１重量％以下の濃度では十分な効果を期待することは出来ず、３０重量％以上添加しても効果が増強することはない。
【００３７】
本発明においてポリエチレンイミンは水に溶けるものであれば特に限定されず、その濃度は０．０１〜１０重量％、好ましくは０．０１〜５重量％、更に好ましくは０．０５〜１重量％である。０．０１重量％以下の濃度では十分な洗浄効果を得ることが出来ず、ポリエチレンイミンを１０重量％以上添加しても洗浄効果が増強することはない。
【００３８】
本発明の液状洗浄剤組成物には、適宜、非イオン界面活性剤、グリコール系溶剤、保湿剤、香料、増粘剤、着色剤、消泡剤等を添加することができる。
【００３９】
非イオン性界面活性剤としては、ポリオキシエチレンアルキル又はアルケニルエーテル（平均炭素数１０〜２０、エチレンオキサイド付加モル数１〜２０）、ポリオキシエチレンアルキルフェニルエーテル（平均炭素数６〜１２、エチレンオキサイド付加モル数１〜２０）、ポリオキシプロピレンアルキル又はアルケニルエーテル（平均炭素数１０〜２０、エチレンオキサイド付加モル数１〜２０）、ポリオキシエチレン・ポリオキシプロピレンアルキル又はアルケニルエーテル（平均炭素数１０〜２０、エチレンオキサイドとプロピレンオキサイドの付加モル数の総和１〜３０）、脂肪酸アルカノールアミド又はそのアルキレンオキサイド付加物、平均炭素数が１０〜２０の脂肪酸とショ糖からなるショ糖脂肪酸エステル、平均炭素数が１０〜２０の脂肪酸とグリセリンからなる脂肪酸グリセリンモノエステル、アセチレン系グリコールのポリエーテル化物等が挙げられ。
【００４０】
グリコール系溶剤としては、例えば、エチレングリコール、プロピレングリコール、グリセリン、エチレングリコールモノメチルエーテル、エチレングリコールモノエチルエーテル、エチレングリコールモノプロピルエーテル、エチレングリコールモノブチルエーテル、エチレングリコールモノフェニルエーテル、エチレングリコールモノヘキシルエーテル、エチレングリコールベンジルエーテル、エチレングリコールジメチルエーテル、エチレングリコールジエチルエーテル、エチレングリコールジブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジブチルエーテル、ジエチレングリコールメチルエチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、グリセリンモノメチルエーテル、グリセンモノエチルエーテル、グリセリンモノプロピルエーテル、グリセンモノブチルエーテル、エチレングリコールモノメチルエーテルアセテート、エチレングリコールモノエチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノプロピルエーテルアセテート等が挙げられる。
【００４１】
増粘剤としては、例えば、アラビアゴム、カラギーナン、カラヤガム、トラガカントガム、カゼイン、デキストリン、ゼラチン、アルギン酸ナトリウム、メチルセルロース、エチルセルロース、ＣＭＣ、ヒドロキシエチルセルロース、ヒドロキシプロピルセルロース、ＰＶＡ、ポリアクリル酸ナトリウム、グアーガム、タマリンドガム、キサンタンガム、ケイ酸アルミニウムマグネシウム、ベントナイト、モンモリロナイト、ヘクトライト、パーミキュライト、ラポナイト等が挙げられる。
【００４２】
保湿剤としては、例えば、ポリエチレングリコール、プロピレングリコール、グリセリン、キシリトール、ソルビトール、マルチトール等が挙げられる。  
【００４３】
着色料としては、例えば、二酸化チタン、酸化亜鉛、酸化鉄、チタン酸鉄、黄酸化鉄、黄土、黒酸化鉄、コバルトバイオレット、チタン酸コバルト、群青、パール顔料、金属粉末顔料、有機顔料、クロロフィル、β−カロテン等が挙げられる。
【００４４】
香料としては、ジャコウ、ライム、ビャクダン、ハッカ、バニリン、シトロネラール、オイゲノール、リナロール、クマリン、ケイ皮酸エチル等が挙げられる。
【００４５】
消泡剤としては、シリコーン系消泡剤等が挙げられる。
【００４６】
本発明の液状洗浄剤組成物は、以上に列挙した添加剤の１種以上と適宜併用することで、より適した洗浄剤とすることが出来る。
【００４７】
本発明において、液洗浄剤組成物を適用する対象物としては、浴槽、浴室のタイル目地、浴室の壁、シャワーカーテン、シャワーホースなどが挙げられる。適用の方法としては、噴霧してスポンジタワシ等で擦る、液状洗浄剤組成物を染み込ませた紙や布で対象物を拭くなどの方法が挙げられる。
【実施例】
【００４８】
以下、本発明を実施例及び比較例を用いてより詳細に説明するが、本発明が実施例に限定されないことはいうまでもない。
【００４９】
実施例１〜４、比較例１〜５
実施例１〜４、比較例１〜５に組成を示した洗浄剤組成物を常法に従い調製した。得られた各組成物について、洗浄力、殺胞子力、バイオフィルム除去力、無機有機複合汚れ（尿石）除去力を、それぞれ下記の方法に従い評価した。結果を表１に示す。
（洗浄力）１０ｃｍ各のタイルの重量を測定した後、これにステアリン酸、塩化カルシウムおよびラードの混合物（１：０．５：１）約０．２ｇを付着させ、８０℃に加熱しながら、ガラス棒で表面に押し拡げた。タイルを冷却した後、各組成物を染み込ませたスポンジで５往復回擦った。タイル表面の汚れの除去状態を、視覚によって下記の５段階に評価した。
５：汚れ落ちが非常に良好
４：汚れ落ちが良好
３：汚れ落ちにむらがある
２：若干汚れが落ちる程度
１：殆ど汚れが落ちない
【００５０】
（殺胞子力）  黒麹黴（Aspergillus niger JCM16264）の胞子を、６００nmの吸光度が約０．１となるように、０．０１％ツイーン８０を含有する生理食塩液に懸濁して実験に用いた。
【００５１】
各組成物２０ｍｌまたは滅菌蒸留水２０ｍｌに、黒麹かびの懸濁液０．２ｍｌを添加した。５分後、１ｍｌを採取し、セルロースアセテート膜のメンブランフィルター（ＡＤＶＡＮＴＥＣ製、径：４７ｍｍ、孔径：０．４５μｍ）をセットしたろ過器でろ過して、胞子をメンブタンフィルターに捕捉した。直ちに、滅菌蒸留水５０ｍｌで洗浄した後、ろ過器からメンブランフィルターを取り出し、ポテトデキストロース寒天培地の上に置いて、３０℃で２日間培養した。視覚により、カビの生育状態を下記の５段階に設定し数値化した。
５：全く生育していない
４：僅かに生育（生育面積は２０％以下）
３：中程度に生育（生育面積は２０〜４０％）
２：かなり生育（生育面積は４０〜８０％）
１：旺盛に生育（生育面積は８０％以上）
【００５２】
（バイオフィルム除去力）  緑膿菌（Pseudomonas aeruginosa NBRC3080）をトリプトソイブイヨン培地に接種して、３０℃にて２４時間振とう培養した。増殖した菌液を、ＬＢ培地（1%  Bacto tryptone、1% NaCl、1% Yeast extract、pH 7.2）を用いて、緑膿菌の場合には１００倍に、黄色ぶどう球菌の場合には１０倍に希釈した。これらの菌液０．２ｍｌを９６ウェルマイクロプレート内に注入し、３０℃にて２４時間培養し、バイオフィルムを形成させた。培養液を捨てた後、イオン交換水で３回洗浄し、試験に用いるバイオフィルムサンプルを調製した。
【００５３】
その後、各組成物２００μＬを注入し、２５℃にて５分静置後に液を抜き出した。イオン交換水で３回洗浄した後、次の方法で残存するバイオフィルムを定量した。
【００５４】
グラム染色用Ａ液（フェノールゲンチアナバイオレット溶液：和光純薬株式会社）３５０μＬを注入し、１分後に抜き出すことにより、バイオフィルムを染色した。
【００５５】
グラム染色用Ａ液（フェノールゲンチアナバイオレット溶液：和光純薬株式会社）３５０μＬを注入し、１分後に抜き出すことにより、バイオフィルムを染色した。イオン交換水で５回洗浄し、余分な洗浄液を除去した。グリコール酸でフェノールゲンチアナバイオレットを抽出し、６００ｎｍの吸光度を測定した。
【００５６】
バイオフィルム除去剤を作用させなかったウェルについグラム染色用Ａ液で処理後、吸光度を測定して初期値とした。また、培地２００μＬを含有するが菌株を接種しなかったウェルについても同様の操作を行い、ブランク値とした。バイオフィルム除去率を下式により求めた。
【００５７】
除去率（％）＝１００×[{（初期値―ブランク値）−（測定値―ブランク値）／（（初期値―ブランク値））
【００５８】
（尿石除去力）
尿石のモデルとして、硬度塩／タンパク質複合汚れを以下のように調製した。カゼインナトリウム０．５ｇ、リン酸二水素ナトリウム２．７３ｇ、尿酸０．５ｇ、尿素１ｇ、塩化カルシウム二水塩２．３２ｇおよび水５０ｇを混合した。この混合液をイオン交換水で１０倍に希釈し、希釈液０．１ｇをポリプロピレン製試験管に採取した後、１００℃で２時間乾燥固化したものをモデル汚れとした。
【００５９】
モデル汚れを含む試験管に表１に示す洗浄剤１ｍＬを注入し、２５℃にて５分静置後に液を抜き出した。イオン交換水で３回洗浄した後、次の方法で残存するタンパクを定量した。
【００６０】
細菌染色用メチレンブルー溶液（和光純薬株式会社）２０μＬを注入してタンパクを染色した後、イオン交換水で５回洗浄し、余分な洗浄液を除去した。グリコール酸溶液（関東化学株式会社）０．１ｍｌとイオン交換水１ｍｌを添加してメチレンブルーを抽出し、６６０ｎｍの吸光度を測定した。
【００６１】
洗浄剤を作用させなかったモデル汚れについメチレンブルー溶液で処理後、吸光度を測定して初期値とした。また、モデル汚れを含まない試験管についても同様の操作を行い、ブランク値とした。尿石除去率を下式により求めた。
【００６２】
除去率（％）＝１００×[{（初期値―ブランク値）−（測定値―ブランク値}／（（初期値−ブランク値））
【００６３】
表１の結果からわかるように、本発明品は優れた洗浄力、殺胞子力、バイオフィルム除去力および尿石除去力を有した。一方、両性界面活性剤を配合しなかった場合には洗浄力、カチオン界面活性剤を配合しなかった場合には殺胞子力、金属封鎖剤を配合しなかった場合には洗浄力と尿石除去力、ポレエチレンイミンを配合しなかった場合にはバイオフィルム除去力と尿石除去力の面で課題を解決できなかった。
【００６４】
【表１】
2013194224.tif 000005